(57)【要約】【課題】ゴムブロック絶縁体の機械的保護と電気的安定性の確保を両立できる電力ケーブルの中間接続部を提供する。【解決手段】ケーブル導体、ケーブル絶縁体、及びケーブル遮蔽層の各々が露出されるように段剥ぎされた電力ケーブルの端部同士を接続する電力ケーブルの中間接続部であって、前記ケーブル導体同士を接続する導体接続部と、前記導体接続部の周囲に配置されるゴムブロック絶縁体と、前記ゴムブロック絶縁体の外周に配置され、前記ケーブル遮蔽層同士を接続する遮蔽接続層と、前記遮蔽接続層の外側に配置され、前記ゴムブロック絶縁体の全周の少なくとも一部を覆う保護部材とを備え、前記保護部材は、樹脂を含む材料の成形体である電力ケーブルの中間接続部。【選択図】図１
2018029436.tif 000002
【特許請求の範囲】
【請求項１】
ケーブル導体、前記ケーブル導体の外周に形成されたケーブル絶縁体、及び前記ケーブル絶縁体の外周に形成されたケーブル遮蔽層の各々が露出されるように段剥ぎされた電力ケーブルの端部同士を接続する電力ケーブルの中間接続部であって、
前記ケーブル導体同士を接続する導体接続部と、
前記導体接続部の周囲に配置されるゴムブロック絶縁体と、
前記ゴムブロック絶縁体の外周に配置され、前記ケーブル遮蔽層同士を接続する遮蔽接続層と、
前記遮蔽接続層の外側に配置され、前記ゴムブロック絶縁体の全周の少なくとも一部を覆う保護部材とを備え、
前記保護部材は、樹脂を含む材料の成形体である電力ケーブルの中間接続部。
【請求項２】
前記遮蔽接続層の外周に絶縁テープを巻回して形成され、前記遮蔽接続層と前記保護部材との間に配置される絶縁テープ層を備える請求項１に記載の電力ケーブルの中間接続部。
【請求項３】
前記保護部材の全周を覆う被覆材を備える請求項１又は請求項２に記載の電力ケーブルの中間接続部。
【請求項４】
前記保護部材が周方向に分割された複数の分割片を有する請求項１から請求項３のいずれか１項に記載の電力ケーブルの中間接続部。
【請求項５】
周方向に隣り合う前記分割片の間に隙間が形成されている請求項４に記載の電力ケーブルの中間接続部。
【請求項６】
前記分割片が２つである請求項４又は請求項５に記載の電力ケーブルの中間接続部。
【請求項７】
前記保護部材が塩化ビニル樹脂で形成されている請求項１から請求項６のいずれか１項に記載の電力ケーブルの中間接続部。
【請求項８】
前記保護部材の厚さが１ｍｍ以上２０ｍｍ以下である請求項１から請求項７のいずれか１項に記載の電力ケーブルの中間接続部。
【請求項９】
前記保護部材が管状である請求項１から請求項８のいずれか１項に記載の電力ケーブルの中間接続部。
【請求項１０】
請求項１から請求項９のいずれか１項に記載の電力ケーブルの中間接続部を備える電力ケーブル線路。
【発明の詳細な説明】
【技術分野】
【０００１】
本発明は、電力ケーブルの中間接続部、及び電力ケーブル線路に関する。
【背景技術】
【０００２】
電力ケーブルとして、例えばＣＶケーブル（架橋ポリエチレン絶縁ビニルシースケーブル）が利用されている。通常、電力ケーブルを用いて送電線を布設する場合、複数の電力ケーブルの端部同士を中間接続部で接続して電力ケーブル線路を構築する（例えば、特許文献１を参照）。
【０００３】
従来、電力ケーブルの中間接続部に、ゴムブロック絶縁体を用いた接続部（ＲＢＪ：ｒｕｂｂｅｒ  ｂｌｏｃｋ  ｊｏｉｎｔ）が利用されている。中間接続部としては、ケーブル導体同士を接続する導体接続管と、導体接続管の周囲に位置するゴムブロック絶縁体と、ゴムブロック絶縁体を覆う編組テープとを備え、金属ケースで覆う構成のものが知られている。最近では、中間接続部をより簡素化するため、金属管を省略し、接続部全体を遮水層（熱収縮チューブ）で覆う構成のものが提案されている。
【先行技術文献】
【特許文献】
【０００４】
【特許文献１】特開２００７−１１０８３１号公報
【発明の概要】
【発明が解決しようとする課題】
【０００５】
電力ケーブルの中間接続部において、ゴムブロック絶縁体の機械的保護と、電気的安定性の向上が望まれる。
【０００６】
従来の中間接続部では、金属管を備えることで、落下物などからゴムブロック絶縁体や遮蔽接続層を機械的に保護できる。また、万が一、中間接続部に人が乗るようなことがあっても、荷重負荷によるゴムブロック絶縁体の変形（撓み）を抑制でき、絶縁性能の低下を抑制できる。しかしながら、金属管内に収容する構成では、場合によっては金属管が浮遊電極となり、電圧が誘起され感電する虞がある。また、金属管は重量物であるため、中間接続部の組立に労力がかかるなど、作業負荷が大きい。
【０００７】
一方、金属管を省略し、収縮チューブを被覆する構成では、ゴムブロック絶縁体や遮蔽接続層を機械的に十分に保護できず、荷重負荷によるゴムブロック絶縁体の変形（撓み）を十分に防止できない虞があるため、絶縁性能の低下を招く虞がある。そこで、中間接続部の上方に防護カバーを設けることが考えられるが、この場合、中間接続部を設置する箇所に防護カバーを別途取り付ける必要があるため、作業効率が低下する。
【０００８】
そこで、ゴムブロック絶縁体の機械的保護と電気的安定性の確保を両立できる電力ケーブルの中間接続部を提供することを目的の１つとする。また、上記電力ケーブルの中間接続部を備える電力ケーブル線路を提供することを別の目的の１つとする。
【課題を解決するための手段】
【０００９】
本開示に係る電力ケーブルの中間接続部は、ケーブル導体、前記ケーブル導体の外周に形成されたケーブル絶縁体、及び前記ケーブル絶縁体の外周に形成されたケーブル遮蔽層の各々が露出されるように段剥ぎされた電力ケーブルの端部同士を接続する電力ケーブルの中間接続部であって、
前記ケーブル導体同士を接続する導体接続部と、
前記導体接続部の周囲に配置されるゴムブロック絶縁体と、
前記ゴムブロック絶縁体の外周に配置され、前記ケーブル遮蔽層同士を接続する遮蔽接続層と、
前記遮蔽接続層の外側に配置され、前記ゴムブロック絶縁体の全周の少なくとも一部を覆う保護部材とを備え、
前記保護部材は、樹脂を含む材料の成形体である。
【００１０】
本開示に係る電力ケーブル線路は、上記本開示に係る電力ケーブルの中間接続部を備える。
【発明の効果】
【００１１】
上記電力ケーブルの中間接続部は、ゴムブロック絶縁体の機械的保護と電気的安定性の確保を両立できる。上記電力ケーブル線路は、電力ケーブルの端部同士を接続する中間接続部において、ゴムブロック絶縁体の機械的保護と電気的安定性の確保を両立できる。
【図面の簡単な説明】
【００１２】
【図１】実施形態１に係る電力ケーブルの中間接続部を示す概略部分縦断面図である。
【図２】図１のＩＩ−ＩＩ線で切断した概略横断面図である。
【図３】実施形態１に係る電力ケーブルの中間接続部の設置状態を示す概略側面図である。
【図４】実施形態１に係る電力ケーブルの中間接続部の設置状態を示す概略正面図である。
【図５】実施形態２に係る電力ケーブルの中間接続部を示す概略横断面図である。
【発明を実施するための形態】
【００１３】
［本発明の実施形態の説明］
最初に本発明の実施態様を列記して説明する。
【００１４】
（１）本発明の一態様に係る電力ケーブルの中間接続部は、ケーブル導体、前記ケーブル導体の外周に形成されたケーブル絶縁体、及び前記ケーブル絶縁体の外周に形成されたケーブル遮蔽層の各々が露出されるように段剥ぎされた電力ケーブルの端部同士を接続する電力ケーブルの中間接続部であって、
前記ケーブル導体同士を接続する導体接続部と、
前記導体接続部の周囲に配置されるゴムブロック絶縁体と、
前記ゴムブロック絶縁体の外周に配置され、前記ケーブル遮蔽層同士を接続する遮蔽接続層と、
前記遮蔽接続層の外側に配置され、前記ゴムブロック絶縁体の全周の少なくとも一部を覆う保護部材とを備え、
前記保護部材は、樹脂を含む材料の成形体である。
【００１５】
上記電力ケーブルの中間接続部によれば、樹脂を含む材料の成形体で形成された保護部材を備えることで、ゴムブロック絶縁体や遮蔽接続層を機械的に保護できる。また、荷重負荷によるゴムブロック絶縁体の変形（撓み）を抑制できるため、絶縁性能の低下を抑制できる。保護部材が樹脂を含む材料の成形体であるため、従来の金属管に比較して電気絶縁性が高く、浮遊電極として機能しないので、電気的安定性が向上する。したがって、上記電力ケーブルの中間接続部は、ゴムブロック絶縁体の機械的保護と電気的安定性の確保を両立できる。
【００１６】
上記電力ケーブルの中間接続部は、保護部材が樹脂を含む材料の成形体で形成されていることで、従来の金属管に比較して軽量化と低コスト化を図ることができる。電力ケーブルの中間接続部を軽量化できるため、組立作業性が向上する。更に、中間接続部自体に保護部材を備えることから、防護カバーを別途取り付ける必要もない。
【００１７】
保護部材は、１つの管状体で構成する他、周方向に分割された複数の分割片で構成することも可能である。保護部材は、荷重負荷によるゴムブロック絶縁体の変形（特に撓み）を防止する観点から、ゴムブロック絶縁体の全周のうち、少なくとも上側及び下側を覆うように設けられていることが好ましい。
【００１８】
（２）上記電力ケーブルの中間接続部の一形態として、前記遮蔽接続層の外周に絶縁テープを巻回して形成され、前記遮蔽接続層と前記保護部材との間に配置される絶縁テープ層を備えることが挙げられる。
【００１９】
絶縁テープ層を備えることで、電気絶縁性を高め、電気的安定性を向上できる。また、絶縁テープ層がクッションとして機能し、保護部材を密着して配置し易い。保護部材の密着性が向上することで、遮蔽接続層と保護部材との間に空気層が形成され難く、耐絶縁性を向上できる。更に、空気層が形成され難いため、電力ケーブルが温度上昇した際に保護部材に熱を伝え易く、放熱性を向上できる。
【００２０】
（３）上記電力ケーブルの中間接続部の一形態として、前記保護部材の全周を覆う被覆材を備えることが挙げられる。
【００２１】
保護部材が周方向に分割された複数の分割片で構成されている場合、被覆材により分割片を固定でき、保護部材が脱落することを防止できる。その他、被覆材を備えることで、電気絶縁性を高めたり、内部への水分の浸入を防止したりできる。
【００２２】
（４）上記電力ケーブルの中間接続部の一形態として、前記保護部材が周方向に分割された複数の分割片を有することが挙げられる。
【００２３】
保護部材が周方向に分割された複数の分割片を有することで、保護部材を密着して配置し易い。そのため、遮蔽接続層と保護部材との間に空気層が形成され難く、電力ケーブルが温度上昇した際に保護部材に熱を効率よく伝えることができ、放熱性を向上できる。更に、保護部材が周方向に分割された複数の分割片を有することから、電力ケーブルが膨張しても、その変形に保護部材が追従できる。
【００２４】
（５）上記（４）に記載の電力ケーブルの中間接続部の一形態として、周方向に隣り合う前記分割片の間に隙間が形成されていることが挙げられる。
【００２５】
隣り合う分割片の間に隙間が形成されていることで、電力ケーブルが収縮しても、その変形に保護部材が追従できる。
【００２６】
（６）上記（４）又は（５）に記載の電力ケーブルの中間接続部の一形態として、前記分割片が２つであることが挙げられる。
【００２７】
保護部材が周方向に分割された複数の分割片で構成されている場合、保護部材を外側から取り付けることができるため、保護部材の配置作業が容易になる。分割片が２つであることで、部品点数を削減でき、中間接続部の組立作業性を改善できる。２つの分割片で保護部材を構成する場合、分割片は、荷重負荷によるゴムブロック絶縁体の変形（特に撓み）を防止する観点から、ゴムブロック絶縁体の上側及び下側にそれぞれ配置することが好ましい。
【００２８】
（７）上記電力ケーブルの中間接続部の一形態として、前記保護部材が塩化ビニル樹脂で形成されていることが挙げられる。
【００２９】
塩化ビニル樹脂は、安価で成形し易く、機械的強度及び電気絶縁性に優れ、難燃性であるなど、保護部材の形成材料として好適である。
【００３０】
（８）上記電力ケーブルの中間接続部の一形態として、前記保護部材の厚さが１ｍｍ以上２０ｍｍ以下であることが挙げられる。
【００３１】
保護部材の厚さが１ｍｍ以上であることで、保護部材の機械的強度及び電気絶縁性を確保し易い。保護部材の厚さが２０ｍｍ以下であることで、保護部材の大径化を避け、中間接続部の小型軽量化を図ることができる。
【００３２】
（９）上記電力ケーブルの中間接続部の一形態として、前記保護部材が管状であることが挙げられる。
【００３３】
保護部材が管状であることで、ゴムブロック絶縁体を全周に亘って機械的に保護し易い。「管状」とは、厳密な意味での管でなくてもよく、周方向に切れ目（継ぎ目）や隙間がない完全な管に限らず、周方向に切れ目や隙間があるものなども含めて、実質的に管とみなされる範囲を含む。ここでは、保護部材がゴムブロック絶縁体の全周の９０％以上を覆う場合、保護部材が管状であるとみなす。
【００３４】
（１０）本発明の一態様に係る電力ケーブル線路は、上記本発明の一態様に係る電力ケーブルの中間接続部を備える。
【００３５】
上記電力ケーブル線路は、上記中間接続部を備えることで、電力ケーブルの端部同士を接続する中間接続部において、ゴムブロック絶縁体の機械的保護と電気的安定性の確保を両立できる。
【００３６】
［本発明の実施形態の詳細］
本発明の実施形態に係る電力ケーブルの中間接続部、及び電力ケーブル線路の具体例を、以下に図面を参照しつつ説明する。図中の同一符号は、同一名称物を示す。なお、本発明はこれらの例示に限定されるものではなく、特許請求の範囲によって示され、特許請求の範囲と均等の意味および範囲内でのすべての変更が含まれることが意図される。
【００３７】
［実施形態１］
＜中間接続部＞
図１〜図４を参照して、実施形態１に係る電力ケーブルの中間接続部１を説明する。中間接続部１は、図１に示すように、電力ケーブル１００の端部同士を接続して電力ケーブル線路２００を構築する。中間接続部１は、図１、図２に示すように、導体接続部１０、ゴムブロック絶縁体２０、遮蔽接続層３０、及び保護部材５０を備える。中間接続部１の特徴の１つは、保護部材５０が樹脂を含む材料の成形体で形成されている点にある。以下、中間接続部１の構成を詳しく説明する。
【００３８】
＜電力ケーブル＞
はじめに、図１に示す電力ケーブル１００の構成を説明する。電力ケーブル１００は、ケーブル導体１１０と、ケーブル導体１１０の外周に形成されたケーブル絶縁体１２０と、ケーブル絶縁体１２０の外周に形成されたケーブル遮蔽層１３０とを備え、ケーブルシース１４０で被覆された構成である。この例では、電力ケーブル１００はＣＶケーブルである。ケーブル絶縁体１２０の内周部分にはケーブル内部半導電層（図示せず）、外周部分にはケーブル外部半導電層１２３がそれぞれ設けられている。接続する電力ケーブル１００の端部は、図１に示すように、ケーブル導体１１０、ケーブル絶縁体１２０、ケーブル外部半導電層１２３及びケーブル遮蔽層１３０の各々が露出されるように段剥ぎされている。
【００３９】
ケーブル絶縁体１２０は電気絶縁性を有する樹脂、ケーブル内部半導電層及びケーブル外部半導電層１２３は半導電性を有する樹脂で形成されている。ケーブル遮蔽層１３０は、銅やアルミニウムなどの導電性を有する金属のテープや編組線で形成されている。
【００４０】
＜電力ケーブル線路＞
図１に示す電力ケーブル線路２００は、中間接続部１を備え、電力ケーブル１００の端部同士を中間接続部１で接続して構築されている。
【００４１】
（導体接続部）
導体接続部１０は、図１に示すように、ケーブル導体１１０同士を接続する部材であり、銅やアルミニウムなどの導電性を有する金属で形成されている。この例では、導体接続部１０は両端が開口した金属製の筒状体であり、両端の開口からケーブル導体１１０をそれぞれ挿入して圧縮接続することで、ケーブル導体１１０同士を電気的に接続する。
【００４２】
（ゴムブロック絶縁体）
ゴムブロック絶縁体２０は、図１に示すように、導体接続部１０の周囲に配置される筒状の部材であり、中間接続部１の主絶縁に用いられる。ゴムブロック絶縁体２０は、主絶縁層２１を有し、ゴムブロック絶縁体２０の軸方向中間部の内周部分には内部半導電層２２、外周部分には外部半導電層２３がそれぞれ設けられており、これらの半導電層２２、２３間に主絶縁層２１が設けられている。ゴムブロック絶縁体２０は、導体接続部１０の周囲に配置したとき、内部半導電層２２が導体接続部１０上に位置すると共に、外部半導電層２３がケーブル外部半導電層１２３に接続され、主絶縁層２１がケーブル絶縁体１２０に所定の面圧で密着するように構成されている。
【００４３】
主絶縁層２１は絶縁性を有するゴムで形成され、内部半導電層２２及び外部半導電層２３は半導電性を有するゴムで形成されている。ゴムブロック絶縁体２０は、例えばエチレンプロピレンゴム又はシリコーンゴムで形成されており、主絶縁層２１及び内部半導電層２２、外部半導電層２３が一体成形されている。
【００４４】
（遮蔽接続層）
遮蔽接続層３０は、図１に示すように、ゴムブロック絶縁体２０の外周に配置され、ケーブル遮蔽層１３０同士を接続する部材であり、銅やアルミニウムなどの導電性を有する金属で形成されている。この例では、遮蔽接続層３０は金属の編組線をゴムブロック絶縁体２０に被せることで形成されており、遮蔽接続層３０の両端部を各ケーブル遮蔽層１３０に接続することで、遮蔽接続層３０を介してケーブル遮蔽層１３０同士を電気的に接続する。また、遮蔽接続層３０とケーブル遮蔽層１３０との接続は、遮蔽接続層３０の両端部を各ケーブル遮蔽層１３０に重ねてロールスプリング３５によって圧接している。遮蔽接続層３０とケーブル遮蔽層１３０との接続は、ロールスプリング３５を用いる他、圧着やはんだ付けなどの方法を用いてもよい。ここでは、遮蔽接続層３０を接地しない形態を例示しているが、遮蔽接続層３０の少なくとも一方の端部に接地線を接続して遮蔽接続層３０を接地する形態とすることも可能である。
【００４５】
（保護部材）
保護部材５０は、図１、図２に示すように、遮蔽接続層３０の外側に配置され、ゴムブロック絶縁体２０の全周の少なくとも一部を覆う部材であり、ゴムブロック絶縁体２０や遮蔽接続層３０を外部から機械的に保護する。この例では、保護部材５０は管状であり、図２に示すように、周方向に切れ目や隙間がない、１つの円筒状の管状体で構成されている。保護部材５０は、樹脂を含む材料の成形体であるため、硬く変形し難いので、機械的強度を確保し易い。
【００４６】
保護部材５０は、機械的強度及び電気絶縁性に優れ、難燃性を有する樹脂で形成されていることが好ましい。このような要件を満たす樹脂としては、例えば、塩化ビニル樹脂、フッ素樹脂、ポリアミド樹脂（ナイロン）、ＡＢＳ樹脂などが挙げられる。中でも、塩化ビニル樹脂は安価で成形し易い点で好適である。この例では、保護部材５０は塩化ビニル樹脂で形成された塩ビ管である。
【００４７】
保護部材５０の厚さは、例えば１ｍｍ以上２０ｍｍ以下であることが好ましい。保護部材５０の厚さが１ｍｍ以上であることで、機械的強度及び電気絶縁性を確保し易く、２０ｍｍ以下であることで、保護部材５０の大径化を避け、中間接続部１の小型軽量化を図ることができる。この例では、保護部材５０の厚さが７ｍｍである。保護部材５０の厚さは、例えば２ｍｍ以上１５ｍｍ以下、３ｍｍ以上１０ｍｍ以下であることが挙げられる。
【００４８】
保護部材５０は、遮蔽接続層３０の外側に密着して配置されていることが好ましく、遮蔽接続層３０の外径に対応した内径を有する。保護部材５０が密着することで、遮蔽接続層３０との間に空気層が形成され難いため、電力ケーブル１００が温度上昇した際に保護部材５０に熱を伝え易く、放熱性を向上できる。
【００４９】
中間接続部１は、図１、図２に示すように、絶縁テープ層４０及び被覆材６０を更に備える。
【００５０】
（絶縁テープ層）
絶縁テープ層４０は、遮蔽接続層３０の外周に絶縁テープを巻回して形成され、遮蔽接続層３０と保護部材５０との間に配置される。絶縁テープとしては、例えばエチレンプロピレンゴムなどが利用できる。絶縁テープ層４０の厚さは、特に限定されないが、例えば２ｍｍ以上２０ｍｍ以下である。
【００５１】
絶縁テープ層４０の外周にアルミニウムなどの金属シートを巻回して金属遮水層（図示せず）を形成してもよく、これにより、内部への水分の浸入を防止できる。
【００５２】
（被覆材）
被覆材６０は、保護部材５０の全周を覆う部材であり、収縮チューブで形成されている。収縮チューブの材質としては、例えば、ポリオレフィン樹脂やエチレンプロピレンゴム、シリコーンゴムなどが挙げられる。この例では、被覆材６０は金属遮水層付きの熱収縮チューブであり、電気絶縁性を補強する他、遮水層としても機能する。上述したように、絶縁テープ層４０の外周に遮水層を形成する場合は、被覆材６０には、金属遮水層のない、通常の熱収縮チューブを用いてもよい。被覆材６０は、保護部材５０よりもケーブル軸方向に長く、遮蔽接続層３０の両端部を覆い、一方から他方のケーブルシース１４０間に跨るように配置される。被覆材６０の両端部は各ケーブルシース１４０上に防水テープ６５を巻き付けて防水処理が施されている。
【００５３】
＜中間接続部の組立方法＞
図１を参照して、上述した中間接続部１の組立方法の一例を説明する。
【００５４】
ゴムブロック絶縁体２０及び保護部材５０（この例では、塩ビ管）を一方の電力ケーブル１００に事前に挿入しておく。このとき、ゴムブロック絶縁体２０は、拡径され、拡径保持材（図示せず）により拡径状態で保持されている。各電力ケーブル１００の端部を段剥ぎ処理して、ケーブル導体１１０、ケーブル絶縁体１２０、ケーブル外部半導電層１２３及びケーブル遮蔽層１３０を露出させる。
【００５５】
互いのケーブル導体１１０を導体接続部１０に挿入して圧縮接続し、ケーブル導体１１０同士を接続する。拡径されたゴムブロック絶縁体２０を所定の位置に移動させた後、拡径保持材を抜き取り、ゴムブロック絶縁体２０を収縮させ、ケーブル絶縁体１２０に密着させる。
【００５６】
ゴムブロック絶縁体２０（外部半導電層２３）の両端部に位置するケーブル外部半導電層１２３の外周に半導電性テープ２５を巻回し、その上に環状のスペーサ２６を取り付ける。半導電性テープ２５により外部半導電層２３とケーブル外部半導電層１２３とが接続される。各スペーサ２６は、２つの分割片からなる半割れの環状体で構成され、分割片を組み合わせて円錐台状の環状体になる。
【００５７】
ゴムブロック絶縁体２０の外周に編組線を巻回して遮蔽接続層３０を形成し、その両端部を各ケーブル遮蔽層１３０にロールスプリング３５を用いて接続し、遮蔽接続層３０を介してケーブル遮蔽層１３０同士を接続する。遮蔽接続層３０の外周に絶縁テープを巻回して絶縁テープ層４０を形成する。
【００５８】
事前に挿入しておいた保護部材５０を所定の位置に移動させ、ゴムブロック絶縁体２０を覆うように配置する。保護部材５０の外周に熱収縮チューブ（この例では、金属遮水層付きの熱収縮チューブ）をケーブルシース１４０間に跨るように配置してドライヤーなどで加熱収縮させ、保護部材５０の全周を被覆材６０で覆い、被覆材６０の両端部を各ケーブルシース１４０に密着させる。最後に、被覆材６０の両端部に防水テープ６５を巻き付けて防水処理を施す。
【００５９】
＜中間接続部の用途＞
上述した中間接続部１は、地中送電線の電力ケーブル線路２００の中間接続部に好適に利用できる。中間接続部１は、地上布設される場合、支柱上などに設置され、地中布設される場合、マンホールや洞道内などに設置される。
【００６０】
＜中間接続部の設置＞
図３、図４を参照して、中間接続部１の設置状態の一例を説明する。ここでは、３相交流送電線を想定して、３つの中間接続部１が並んで配置されている場合を例示する。中間接続部１は、水平方向に取り付けられた板状の接続部用受金物８０に支持され、接続部用受金物８０に固定された接続部用受枕８１に載置される。接続部用受枕８１は、中間接続部１を載置する凹部８２と、接続部用受枕８１を接続部用受金物８０に固定する取付部８３とを有する。凹部８２は、中間接続部１の形状に対応した円弧状に湾曲して形成されている。取付部８３は、接続部用受金物８０を表裏から挟む二股状に形成されている。この例では、接続部用受枕８１は、３つの中間接続部１にそれぞれ対応するように３つの凹部８２を有する。また、凹部８２に載置された３つの中間接続部１を締付バンド８５によって接続部用受枕８１に結束して固定している。
【００６１】
＜中間接続部の効果＞
上述した実施形態１の中間接続部１は、次の効果を奏する。
【００６２】
保護部材５０を備えることで、ゴムブロック絶縁体２０や遮蔽接続層３０を機械的に保護したり、荷重負荷によるゴムブロック絶縁体２０の変形（撓み）を抑制できるため、絶縁性能の低下を抑制できる。保護部材５０は、樹脂を含む材料の成形体であるため、機械的強度を確保し易く、また、電気絶縁性が高く、浮遊電極として機能しないので、電気的安定性が向上する。加えて、保護部材５０が樹脂を含む材料の成形体であることで、軽量化と低コスト化を図ることができ、特に軽量化を実現できるため、組立作業性が向上する。
【００６３】
保護部材５０は管状であるため、ゴムブロック絶縁体２０を全周に亘って機械的に保護し易い。この例では、保護部材５０は１つの管状体で構成されており、ゴムブロック絶縁体２０の全周を覆っている。そのため、万が一、中間接続部１に人が乗るようなことがあっても、荷重負荷によるゴムブロック絶縁体２０の変形（撓み）を抑制でき、絶縁性能の低下を抑制できる。
【００６４】
遮蔽接続層３０と保護部材５０との間に絶縁テープ層４０を備えることで、電気絶縁性を補強できる。また、絶縁テープ層４０がクッションとして機能し、保護部材５０を遮蔽接続層３０の外側に密着して配置し易い。保護部材５０の密着性が向上することで、遮蔽接続層３０と保護部材５０との間に空気層が形成され難く、耐絶縁性を向上できる。更に、空気層が形成され難いため、電力ケーブル１００が温度上昇した際に保護部材５０に熱を伝え易く、放熱性を向上できる。
【００６５】
［実施形態２］
実施形態１では、保護部材５０が１つの管状体で構成されている形態を説明した。実施形態２では、保護部材５０が周方向に分割された複数の分割片で構成されている形態を説明する。以下、図５を参照して、実施形態２に係る電力ケーブルの中間接続部２について説明する。実施形態２の中間接続部２は、保護部材５０の構成が実施形態１の中間接続部１と異なっており、その他の構成は実施形態１と基本的に同じであるので、実施形態１と同様の事項はその詳細な説明を省略する。
【００６６】
図５に示す保護部材５０は、周方向に分割された２つの分割片５１、５２からなり、分割片５１がゴムブロック絶縁体２０の上側、分割片５２がゴムブロック絶縁体２０の下側にそれぞれ配置されている。この例では、分割片５１、５２が略半円弧状に形成されており、保護部材５０が半割れの管状体で構成されている。保護部材５０の全周が被覆材６０で覆われているため、保護部材５０（分割片５１、５２）が脱落することを防止できる。
【００６７】
実施形態２の中間接続部２によれば、保護部材５０が複数の分割片５１、５２で構成されていることで、保護部材５０を密着して配置し易い。そのため、遮蔽接続層３０と保護部材５０との間に空気層が形成され難く、電力ケーブル１００が温度上昇した際に保護部材５０に熱を効率よく伝えることができ、放熱性を向上できる。更に、電力ケーブル１００が膨張しても、その変形に保護部材５０（分割片５１、５２）が追従できる。保護部材５０が複数の分割片５１、５２で構成されている場合、中間接続部の組立時に保護部材５０を外側から取り付けることができるため、保護部材の配置作業が容易であり、中間接続部の組立作業性が向上する。
【００６８】
分割片５１、５２がゴムブロック絶縁体２０の上側及び下側に配置され、ゴムブロック絶縁体２０の全周のうち、上側及び下側が保護部材５０で覆われている。そのため、万が一、中間接続部１に人が乗るようなことがあっても、荷重負荷によるゴムブロック絶縁体２０の変形（撓み）を抑制でき、絶縁性能の低下を抑制できる。
【００６９】
図５に示すように、周方向に隣り合う分割片５１、５２の間に隙間が形成されている場合、分割片５１、５２を遮蔽接続層３０の外側に密着して配置し易く、保護部材５０の密着性がより向上する。また、電力ケーブルが収縮しても、その変形に保護部材５０（分割片５１、５２）が追従できる。分割片５１、５２の間に隙間を形成する場合、保護部材５０が管状となる（つまり、ゴムブロック絶縁体２０の全周の９０％以上を覆う）ように、ゴムブロック絶縁体２０の全周長に対して隙間の周方向の合計長が１０％以下となるように形成することが好ましい。
【符号の説明】
【００７０】
１、２  中間接続部
１０  導体接続部
２０  ゴムブロック絶縁体
２１  主絶縁層
２２  内部半導電層
２３  外部半導電層
２５  半導電性テープ
２６  スペーサ
３０  遮蔽接続層
３５  ロールスプリング
４０  絶縁テープ層
５０  保護部材
５１、５２  分割片
６０  被覆材
６５  防水テープ
８０  接続部用受金物
８１  接続部用受枕
８２  凹部
８３  取付部
８５  締付バンド
１００  電力ケーブル
１１０  ケーブル導体
１２０  ケーブル絶縁体
１２３  ケーブル外部半導電層
１３０  ケーブル遮蔽層
１４０  ケーブルシース
２００  電力ケーブル線路
【図１】
2018029436.tif 000003
【図２】
2018029436.tif 000004
【図３】
2018029436.tif 000005
【図４】
2018029436.tif 000006
【図５】
2018029436.tif 000007